(57)【特許請求の範囲】
【請求項１】
外ケース（２）の１端面の開口部（３）から、外ケース内（２）へ、記録用媒体保護用の内ケース（４）が挿入・引出し自在に嵌入されており、
開口部（３）に臨む外ケース（２）の正面壁（５）の壁面端には、該開口部（３）を閉鎖する閉鎖片部（６）が延設されており、
閉鎖片部（６）は、開口端（３）を閉鎖できる蓋片（７）を有しており、
外ケース（２）内面と、内ケース（４）外面との間に、内ケース（４）の脱出防止用の係止機構（１１，１２）が形成されており、
内ケース（４）の折返片（２３）は外ケース（２）の正面壁（５）側に折り返されると共に、該内ケース（４）の前側壁（２０）の上端に形成されている折返片（２２、１１）は外ケース（２）の背面壁（１４）側に折り返され、該折返片（２２、１１）と、外ケース（２）の正面壁（５）側に折り返した、外ケース（２）の背面壁（１４）の上端に形成されている折返片（１６，１２）とより、上記係止機構（１１、１２）が形成されている
ことを特徴とする記録用媒体のケース。
【請求項２】
少なくとも外ケース（２）が、易剥離性接着剤で外ケース（２）外面に接着された記入可能なシートを有しており、前記シート剥離後の外ケース（２）外面も記入可能な表面とされている、請求項１記載の記録用媒体のケース。
【請求項３】
外ケース（２）の底部（３８）が正背両面壁（５、１４）と連続一体の底壁（３９）で形成されている請求項１ないし請求項２のいずれかに記載の記録用媒体のケース。
【請求項４】
外ケース（２）の底部（３８）が正背両面壁（５、１４）のいずれか一方に連続する底壁の折曲差し込み、接着によって形成されている請求項１ないし請求項３のいずれかに記載の記録用媒体のケース。
【請求項５】
外ケース（２）の開口端に、内ケース（４）の摘み用欠肉部（１７Ａ）が形成されている請求項１ないし請求項４のいずれかに記載の記録用媒体のケース。
【請求項６】
閉鎖片部（６）は、蓋片（７）と、外ケース（２）への貼着部（８）と、蓋片（７）と貼着部（８）との間に形成された易破断部（１０）とを有する請求項１ないし請求項５のいずれかに記載の記録用媒体のケース。
【発明の詳細な説明】
【０００１】
【発明の属する技術分野】
本発明は、コンパクトディスク、フロッピーディスク、光磁気ディスク等の記録用媒体の包装用ケースとして使用し、購入者は保管用ケースとして再使用できるケースに関する。
【０００２】
【従来の技術】
前述の記録用媒体のケースとしては、展示、販売、保管用のケースは種々提案されているが、包装用ケース、郵送用ケース等として使用でき、購入者や受取人は常用の保管用ケースとしての再使用に適する構造のケースは提案されていない。
【０００３】
【発明が解決しようとする課題】
かかる現状に鑑み、本発明は、前述のごとき記録用媒体を、常態の包装、保管、郵送等の作業では、破損、脱落等を生ずることなく保護でき、購入者は、ケース本体を破損させることなく開封でき、内装されている記録用媒体を容易に取り出しうると共に、常用時の保管用ケースとして便利に使用できる記録用媒体のケースを提供することを課題としている。
【０００４】
【課題を解決するための手段】
前記課題を解決するため請求項１の発明では、外ケース（２）の１端面の開口部（３）から、外ケース（２）内へ記録用媒体保護用の内ケース（４）が挿入・引出し自在に嵌入されており、
開口部（３）に臨む外ケース（２）の正面壁（５）の壁面端には、該開口部（３）を閉鎖する閉鎖片部（６）が延設されており、
該閉鎖片部（６）は、開口端（３）を閉鎖できる蓋片（７）を有しており、
外ケース（２）内面と、内ケース（４）外面との間に、内ケース（４）の脱出防止用の係止機構（１１，１２）が形成されており、
内ケース（４）の折返片（２３）は外ケース（２）の正面壁（５）側に折り返されると共に、該内ケース（４）の前側壁（２０）の上端に形成されている折返片（２２、１１）は外ケース（２）の背面壁（１４）側に折り返され、該折返片（２２、１１）と、外ケース（２）の正面壁（５）側に折り返した、外ケース（２）の背面壁（１４）の上端に形成されている折返片（１６，１２）とより、上記係止機構（１１、１２）が形成されている構成とした。
【０００８】
請求項２の発明では、外ケース（２）が、易剥離性接着剤で外ケース（２）外面に接着された記入可能なシートを有しており、該シート剥離後の外ケース（２）外面も記入可能な表面とするという構成を請求項１の発明に付加した。
【０００９】
請求項３の発明では、請求項１ないし請求項２のいずれかの発明に、外ケース（２）の底部（３８）が、正背両面壁（５、１４）と連続一体の底壁（３９）で形成されているという構成を付加した。
【００１０】
請求項４の発明では、請求項１ないし請求項３のいずれかの発明に、外ケース（２）の底部（３８）が、正背両面壁（５、１４）のいずれか一方に連続する底壁の折曲差し込み、接着によって形成されているという構成を付加した。
【００１１】
請求項５の発明では、外ケース（２）の開口端に、内ケース（４）の摘み用欠肉部（１７Ａ）が形成されているという構成を請求項１ないし請求項４のいずれかの発明に付加した。
【００１２】
請求項６の発明では閉鎖片部（６）が、蓋片（７）と、外ケース（２）への貼着部（８）と、蓋片（７）と貼着部（８）との間に形成された易破断部（１０）とを有するという構成を、請求項１ないし請求項５のいずれかの発明に付加した。
【００１３】
【発明の実施の形態】
本発明を図１ないし図６を参照して説明すると、本発明の記録用媒体のケースは、記入可能なシート面１を有する外ケース２の端面の開口部３から外ケース２内へ記録用媒体保護用の内ケース４が挿入、引出し自在に嵌入されている。以下の説明において、上端、下端とは、図示構造の上端、下端であり、完成品たるケースの上端、下端ではない。
【００１４】
外ケース２の壁端、図示例では記入可能なシート面１を形成している正面壁５の端壁からは、開口部３を閉鎖する閉鎖片部６が延設されており、閉鎖片部６は、開口部３を閉鎖する蓋片７と背面壁１４の外面に当接される貼着部８とを有し、貼着部８は、接着剤の塗布部９を有し、貼着部と蓋片７との間に形成された易破断部１０とを有している。
【００１５】
前記外ケース２と内ケース４との間には、内ケース４が外ケース２から脱出するのを防止する係止機構１１、１２が形成されている。
【００１６】
前記記入可能なシート面１は、外ケース２の正面壁５の外面に易剥離性接着剤で接着された筆記その他の記入が可能なシートで形成されており、該シートを剥離した後の正面壁５の外面も筆記等の記入が可能な面とされている。図示例では、シート面１は切手貼付部１Ａを有する郵送先記入面とされている。
【００１７】
前記外ケース２は、図２に示されるごときブランク１３から、折り曲げ、接着により形成されており、郵送先記入面たる記入可能なシート面１を形成している正面壁５の下端に山折線たるミシン線Ａと山折線Ｂを介して閉鎖片部６が延設され、閉鎖片部６は開口部３を閉鎖する蓋片７と、外ケース２の背面壁１４に貼着するため、背面に接着剤が塗布される貼着部８と、貼着部８と蓋片７との間に形成された易破断部１０とで構成されている。
【００１８】
正面壁５の上端には２条の山折線Ｃ、Ｄを介して背面壁１４が連接されており、背面壁１４の両側には各２条の山折線Ｅ、Ｆを介して接着片１５が延設されており、背面壁１４の上端には山折線Ｇを介して後述する係止機構１２を形成する折返片１６が形成されている。
【００１９】
図２において、打抜き窓１７およびスリット１８は後述する内ケース４を指頭で摘みやすくする摘み用欠肉部およびその余裕部形成部分である。
【００２０】
図２における各２条１組の山折線Ａ・Ｂ、Ｃ・ＤおよびＥ・Ｆは正面壁５と背面壁１４との間に、記録用媒体を内装された内ケース４をガタつきなしに、かつ挿入、引出自在に観入させる余裕部たる空所２６を形成できる寸法を存して形成されている。
【００２１】
図示ブランク１３は、山折線Ｅ、Ｆで接着片１５を紙面裏側へ折り返し、図示の表面側に接着剤を塗布し、かつ山折線Ｇで折返片１６を紙面裏側へ角度１８０度折り返すと共に、山折線Ｃ、Ｄで背面壁１４を紙面裏側へ角度１８０度折り返し接着片１５、１５を正面壁５の裏面に接着し、正面壁５の下端の閉鎖片部６も山折線Ｂおよびミシン線たる山折線Ａで正面壁５の裏側へ折り返すことにより外ケース２が形成される。
【００２２】
内ケース４は、図３に示されるブランク１９から折り曲げによって形成されており、前側壁２０の下端に２条の山折線Ｈ、Ｉを介して折返片２１が連接され、前側壁２０の上端には、山折線Ｊ、Ｋ、２条の山折線Ｌ、Ｍ、略倒コ字型のスリットＮ、Ｏ、Ｐを介して、折返片２３および後述する係止機構１１を形成する折返片２２が形成され、折返片２３の前側壁２０寄りの左右両側には耳片２４、２５が谷折線Ｑ、Ｒを介して突設されている
【００２３】
図３に示されるブランク１９の折返片２１、２２を山折線Ｈ、Ｉ、Ｌ、ＭおよびスリットＮにおいて紙面裏側へ角度１８０度折り返し、次いで山折線Ｑ、Ｒにおいて耳片２４、２５を紙面表側へ角度１８０度折り返す。次いで折返片２３を、山折線Ｊ、ＫおよびスリットＯ、Ｐにおいて、紙面裏側へ角度１８０度折り返す。
【００２４】
前記折り返しが完了した後、折返片２３が紙面表側を向くよう全体を反転させ、折返片２１および２２が折返片２３の表側に位置するようにした状態が図４に示す状態である。
【００２５】
図４に示す構造に折り畳まれた内ケース４を、折返片２２が下方位置となる姿勢で開口部３から外ケース２内へ挿入すると、両ケース２、４は、図１に示される相対位置を占め、内ケース４の空所２６が記録用媒体の収納空所となる。
【００２６】
図１において、内ケース４の折返片２２と耳片２４、２５とは後述するように係止機構１１を形成し、外ケース２の折返片１６は、係止機構１２を形成する。
【００２７】
図１において、外ケース２の折返片１６は背面壁１４の内面に対し遊離させられているが、図１に示す折返片１６の下部を背面壁１４の内面に接着してもよい。  なお、折返片１６の両側下端は、図２に示すごとく、該片１６の中心線に向かって互いに収斂する傾斜縁２７、２８としておくことが、後述する係止機構としての作用上好ましい。
【００２８】
さらに内ケース４の折返返２２は、図３において紙面裏側へ角度１８０度折り返しているが、この折返片２２は、図３において、紙面表側へ角度１８０度折り返し、さらに内ケース４を外ケース２に対し、図１に示す構造と左右が逆方向となるように嵌挿し、折返片２２を係止機構１１を形成する部片としてもよく、その際は、内ケース４を係止機構１１が作用するまで引き出したとき、内ケース４の形成する空所２６の開口部分が広く開口され、内容物の収容空間たる空所２６が広く開口される。
【００２９】
図５は図１に示す構造体の記録媒体収納用の空所２６へ記録媒体を収納し、閉鎖片部６を貼着部８により背面壁１４に貼着した状態を示しており、図６は、易破断部１０を破断して取り除き、閉鎖片部６を引き開け、内ケース４を、折返片２１を摘持して僅かに引き出した状態を示している。
なお図６においては、図２に示した円形の打ち抜き窓１７が、折返片１６の折曲により半円形部１７Ａとして表され、この部分が前記内ケース４の摘持用の摘み用欠肉部となる。なお、内ケース４の折返片２１の縦線はメモ欄である。
【００３０】
図７ないし図１０に示した例は、図１ないし図６に示した実施例に比し、閉鎖片部２９が外ケース２側ではなく、内ケース４側に形成されている点を除いては、図１ないし図６に示す実施例のものと同一構成とされているので、該閉鎖片部２９と、これと関連する構造部分以外の構造の説明は省略するが、同一構造部分は同一符号で表示する。
【００３１】
図７において、外ケース２の正面壁５の下端は、閉鎖片部を延設されることなく切断縁３０のままとされ、逆に内ケース４は図８に示されるごとく、前側壁３１の下端に２条の山折線Ｓ、Ｔを介して閉鎖片部２９が延設されており、閉鎖片部２９は外ケース２の開口部３と、内ケース４の開口部とを閉鎖する蓋片３２と、外ケース２の背面壁１４に貼着するための貼着部３３と、貼着部３３と蓋片３２との間に形成された易破断部３４とで構成されている。
【００３２】
図７に示される外ケース用のブランク３５は、図２に示される閉鎖片部６の折り畳みを除外した工程によって外ケース２に組み立てられ、図８に示す内ケース４用のブランク３６は、図２に示される閉鎖片部６と同様に山折線Ｓ、Ｔにより紙面裏側へ角度１８０度折り畳まれて内ケース４に折り畳まれ、形成された外ケース２内へ形成された内ケース４が挿入され、閉鎖片部２９は記録媒体挿入後に、外ケース２の正面壁５に貼着され、図９に示される構造とされる。
【００３３】
図１０は、易破断部３４を破断して取り除き、閉鎖片部２９を引き起こして内ケース４を僅かに引き出した状態を示している。
【００３４】
図１において内ケース４を上方へ引き上げると、耳片２４、２５が外ケース２の折返片１６の傾斜縁２７、２８に当接して引掛かり、それ以上の内ケース４の引き上げを阻止し、係止機構として機能する。
この係止機構は、内ケース４の折返片２２が図１に示されるごとく、外ケース２の背面壁１４側を向いて折り込まれ、外ケース２の折返片１６が背面壁１４に貼着されていない場合には、折返片２２と折返片１６の先端中央部分３７との間にも形成される。
【００３５】
以上説明した各実施例は、図１、図２に示されるごとく、底部３８が正面壁５と背面壁１４と連続一体の底壁３９で形成された請求項３の発明の実施態様であり、内ケース４に必要以上に強い押し込み力を作用させた場合でも底部３８を破損する恐れが少なくなる。
【００３６】
また各実施例において、外ケース２の背面壁１４の両側の２条野山折線Ｅ、Ｆは、図１に示される側板４０を区画しており、側板４０の幅Ｗは収納される記録用媒体の枚数によって、その広狭が決定される。
【００３７】
図１１および図１２は請求項４の発明の実施の一例たる外ケース１００を示しており、図示を省略した内ケースは、図８に示すものと同一構成で足りるので、その図示は省略する。
【００３８】
外ケース１００は、図１２に示されるブランク１０１から折り畳み形成されるものであり、正面壁１０２の１側、図では左側に、間隔ＸＷを存して２条の山折線ＸＡ、ＸＢを存して背面壁１０３が連接されており、両山折線ＸＡ、ＸＢ間は外ケース１００の側壁１０４とされている。
【００３９】
背面壁１０３の下端には山折線ＸＣを介して底壁１０５が連接され、底壁１０５には、山折線ＸＤを介して差し込み用または接着用の連結片１０６が連接され、前記側壁１０４の下端には、山折線ＸＥ、スリットＸＦを介して連結片１０７が連接されており、正面壁１０２の他側には、山折線ＸＧを介して他方の側壁１０８が連接され、該側壁１０８には山折線ＸＨを介して背面壁１０３への接着片１０９が連接され、さらに側壁１０８の下端にも山折線ＸＩを介して連結片１１０が連接されている。図１２において、正面壁１０２の上端には山折線ＸＪを介して、図２に示される折返片１６と同一機能の折返片１１１が連接されている。
【００４０】
前記ブランク１０１は、山折線ＸＪにより折返片１１１を紙面裏側へ角度１８０度折り返した後、山折線ＸＢ、ＸＧ、ＸＨで背面壁１０３、側壁１０８および接着片１０９を紙面裏側へ折り返し、接着片１０９を背面壁１０３の、図１２において左側縁裏側へ接着することにより、扁平に折り畳まれ外ケース１００が成形される。
【００４１】
図１１に示すごとく扁平な折り畳み形状とされた外ケース１００内には、図８に示されるブランクから折曲形成された内ケースが嵌挿された状態でカートニングマシンに供給され、該マシンにより、立体箱形状に成形された上で図１に符号２６で示す記録用媒体の収納空所へ記録用媒体を自動箱詰めされ、されに、底壁１０５、連結片１０６、１０７、１１０が自動的に折り畳まれて差し込まれるか接着されると共に、内ケースの、図８に示される閉鎖片部２９が外ケース１００、背面壁１０３の外面に接着されることにより、記録用媒体のケースに完成される。
【００４２】
図１３は、薄い記録用媒体のケースのブランク１１２の図１２と同じ展開図であり、側壁１１３、１１４および底壁１１５の幅ＸＹが図１２に示すものより短寸である点と図１２に示される連結片１０７、１１０に対応する連結片を欠いている点で相違するほかは、図１２に示すものと同一構造であり、図１１、図１２に示す外ケース１００より薄い外ケースが成形される。
【００４３】
【発明の効果】
請求項１の発明によると、記録媒体の収納ケースが、外ケースとその中へ挿入・引出し自在に嵌入されている内ケースとよりなり、そのいずれか一方の１側壁端から延設された閉鎖片部を有するので、ケース内に記録用媒体を内装して包装、保管、郵送等の作業が行われても、その過程では、該媒体の破損とか、脱落を生ずることが無く、安全に包装、保管、郵送等を行いうる効果があり、ケース自体は記録用媒体の常態での使用時の収納ケースとして利用できる等の効果を奏する。
【００４４】
また、請求項１の発明によると、閉鎖片部が外ケースの１側壁面から延設されているので記録用媒体の保護を完全に行いうる効果を奏する。
【００４６】
更に、請求項１の発明によると、外ケースと内ケースとの間に、内ケースの脱出防止用の係止機構が形成されているので、開封後における記録用媒体の取り出し時に、外ケースと内ケースとが分離してしまう恐れが無く、常に外ケースと内ケースとを１組の結合状態としておくことができ、外ケースと内ケースとの分離による散逸を防止できる等の効果を奏する。
【００４７】
請求項２の発明によると、外ケースの記入可能なシート面へ、プレゼントのコメントとか郵送先等の記入が自由にできるのみでなく、購入者は記入を剥がし採り、自由にメモ等の記入を行いうる効果を奏する。
【００４８】
請求項３の発明によると、外ケースの底壁と正背両面壁とが一体成形となるため、搬送時や使用時に底抜け等の破損が生じにくく、内容物の飛び出し防止等の保護性や耐圧強度等の保形性が良好となるし、さらには底部からの内容物の抜き取り防止効果もあり、また正背両面壁の連続模様等の印刷精度を向上させる等の効果を奏する。副次的には、底壁と反対側の天面に貼着部を有する閉鎖片部を形成できるため、広い貼着面を形成でき、強固で安定した接着が可能となる効果も奏する。またケースの厚さが薄い場合には、紙の反発力のため、底壁の接着が困難となり、強力な接着剤の選定、圧着時間の延長等が必要となり、コスト高や生産性の低下を招き、底抜けケースの発生も生ずるが、かかる欠点を完全に防止できる。
【００４９】
請求項４の発明によると、底壁が折り畳まれず、差し込み、接着等が行われない底部開放の状態で外ケースをカートニングマシンに連続供給し、内ケースの嵌挿・記録用媒体の収納、底部の折り畳み、差し込みまたは接着等の諸工程を、自動化された連続作業として行うことを可能とする効果を奏するし、製箱工場から記録用媒体の製作、包装工場までのケースの搬送、保管等の際の所要空間を、該ケースを圧扁状態として行いうるので、著しく減少させうる効果も奏するし、ケースの手組み、内容物の手作業による充填も可能となるので、小ロットのケースに適用できるので、内容物たる記録用媒体が不要となるとか、破棄される場合にケースのみを容易に折り畳むことができ、再利用までの保管スペースを小としうる利益も要する。
【００５０】
請求項５の発明によると、内ケースの引き出しを、外ケース開口部の破損を生ずることなく容易に行いうる効果を奏する。
【００５１】
請求項６の発明によると購入者による開封を、簡単に、かつ外ケース表面を損傷させることなく行いうる効果を奏する。
【図面の簡単な説明】
【図１】 請求項４以外の各請求項の発明を説明するための参考例の略示拡大縦断面図である。
【図２】  図１に示すものの外ケース用ブランクの縮小展開図である。
【図３】  図１に示すものの内ケース用ブランクの縮小展開図である。
【図４】  内ケースの成形状態を上下逆位置で示した縮小正面図である。
【図５】  図１に示されるケースの閉鎖状態における縮小背面図である。
【図６】  図５に示すものの開封状態を示す縮小背面図である。
【図７】 本発明の他の参考例の外ケース用ブランクの縮小展開図である。
【図８】  図７に示すものに挿入される内ケース用ブランクの縮小展開図である。
【図９】  図７および図８に示すブランクを用いて成形され閉鎖されたケースの縮小背面図である。
【図１０】  図９に示すものの開封状態を示す縮小背面図である。
【図１１】  底部が底壁の折り畳み、連結片の差し込みや接着によって形成される外ケースの扁平状態を示す平面図である。
【図１２】  図１１に示される外ケース用のブランクの展開図である。
【図１３】  図１１に示す外ケースより薄い外ケース用のブランクの展開図である。
【符号の説明】
１  シート面
２  外ケース
３  開口部
４  内ケース
５  正面壁
６  閉鎖片部
７  蓋片
８  貼着部
１０  易破断部
１１、１２  係止機構
１４  背面壁
３８  底部
３９  底壁
１０５  底壁
【図１】
0004129826.tif 000002
【図２】
0004129826.tif 000003
【図３】
0004129826.tif 000004
【図４】
0004129826.tif 000005
【図５】
0004129826.tif 000006
【図６】
0004129826.tif 000007
【図７】
0004129826.tif 000008
【図８】
0004129826.tif 000009
【図９】
0004129826.tif 000010
【図１０】
0004129826.tif 000011
【図１１】
0004129826.tif 000012
【図１２】
0004129826.tif 000013
【図１３】
0004129826.tif 000014